(57)【要約】 【課題】  多硫化ナトリウムが生成される正極部の内部抵抗の増加を防ぎ、電力貯蓄の効率を向上させることができるナトリウム硫黄電池セル、ナトリウム硫黄モジュール及びナトリウム硫黄電池を提供することを目的する。【解決手段】  筒形の容器２０と、容器２０の中に緩挿されたナトリウムイオン伝導性を有する筒形の固体電解質管２１と、固体電解質管２１の内部に収容されたナトリウム２２と、容器２０の内部に収容された硫黄２４と、ナトリウム２２に電気的に接続された負極端子２５と、硫黄２４に電気的に接続された正極端子２６とが備えられているナトリウム硫黄電池セル１１において、負極端子２５は固体電解質管２１の上部に設けられ、正極端子２６は容器２０の底部に設けられ、正極端子２６には容器２０の側方に配置されて負極端子２５の高さまで上方に立ち上げられた接続部３２が接続されている。【選択図】      図３
2006114294.tif 000002
【特許請求の範囲】
【請求項１】
筒形の容器と、該容器の中に緩挿されたナトリウムイオン伝導性を有する筒形の固体電解質管と、該固体電解質管の内部に収容されたナトリウムと、前記容器の内部に収容された硫黄と、前記ナトリウムに電気的に接続された負極端子と、前記硫黄に電気的に接続された正極端子とが備えられているナトリウム硫黄電池セルにおいて、
前記負極端子は前記固体電解質管の上部に設けられ、前記正極端子は前記容器の底部に設けられ、前記正極端子には前記容器の側方に配置されて前記負極端子の高さまで上方に立ち上げられた接続部が接続されていることを特徴とするナトリウム硫黄電池セル。
【請求項２】
請求項１記載のナトリウム硫黄電池セルにおいて、
前記固体電解質管の外周面に高抵抗層が形成されていることを特徴とするナトリウム硫黄電池セル。
【請求項３】
請求項１または２記載のナトリウム硫黄電池セルが複数並設され、隣接する一方の前記ナトリウム硫黄電池セルの前記負極端子と隣接する他方の前記ナトリウム硫黄電池セルの前記正極端子とが他方の前記ナトリウム硫黄電池セルの前記接続部を介して接続されていることを特徴とするナトリウム硫黄電池モジュール。
【請求項４】
請求項３記載のナトリウム硫黄電池モジュールにおいて、
前記ナトリウム硫黄電池セルは略円柱形に形成され、前記接続部は隣接する前記ナトリウム硫黄電池セルの近接部分の側方に形成される略三角柱状の隙間に配置されていることを特徴とするナトリウム硫黄電池モジュール。
【請求項５】
請求項３または４記載のナトリウム硫黄電池モジュールが備えられていることを特徴とするナトリウム硫黄電池。
【発明の詳細な説明】
【技術分野】
【０００１】
本発明は、ナトリウム硫黄電池セル、ナトリウム硫黄モジュール及びナトリウム硫黄電池に関するものである。
【背景技術】
【０００２】
一般に、工場やオフィスビル等における電気使用量は夜間より昼間の方が多く、昼間に電力需要が集中する。近年、上記した状況に対応すべく、電力を貯蓄するナトリウム硫黄電池の導入が検討されている。ナトリウム硫黄電池は充放電が３００℃前後で行われる高温作動型の電池であり、ナトリウム硫黄電池には電力を貯蓄するナトリウム硫黄電池セルが複数備えられている。複数のナトリウム硫黄電池セルはそれぞれ近接するように並設されており、複数のナトリウム硫黄電池セルがそれぞれ接続されて多量の電力が貯蓄される。ナトリウム硫黄電池セルは負極としてナトリウム（Ｎａ）、正極として硫黄（Ｓ）及び仕切りとしてナトリウムイオン伝導性を有する固体電解質を使用する電池セルであり、正極端子及び負極端子は並設されたナトリウム硫黄電池セル同士を上方から接続できるようにするためそれぞれ上端に形成されている。このようなナトリウム硫黄電池セルを備えるナトリウム硫黄電池によれば、電気使用量の少ない夜間に電力を貯蓄し、電気使用量の多い昼間に貯蓄した電力を放出し、電力需要が集中する昼間の電力供給の負担を軽減することができる（例えば、特許文献１参照。）。
【特許文献１】特開２００１−１７６５４４号公報  （第４−６頁、第１図）
【発明の開示】
【発明が解決しようとする課題】
【０００３】
しかしながら、上記した従来のナトリウム硫黄電池では、正極端子はナトリウム硫黄電池セルの上端部に形成されているため、充電・放電の充放電サイクルを繰り返すと、サイクル数の増加に伴い電力貯蓄の効率が低下するという問題が存在する。これは、充放電サイクルを繰り返すと、ナトリウム硫黄電池セル内の電流密度に差が生じ、正極部内で生成される多硫化ナトリウムの硫黄濃度が高くなり、正極部内の有効な通電面積が減少し、正極部内の内部抵抗が大きくなるからである。
【０００４】
例えば、図５に示すように、ナトリウム硫黄電池セル１００は、筒形の容器１０１と、容器１０１内に緩挿された固体電解質管１０２と、固体電解質管１０２内に収容されたナトリウム１０３と、容器１０１と固体電解質管１０２との間に充填されたカーボンフェルト１０４と、カーボンフェルト１０４に含浸された硫黄１０５と、固体電解質管１０２の上端に設けられた負極端子１０６と、容器１０１の上端に設けられた正極端子１０７と、絶縁体１０８とから構成されている。上記した構成からなるナトリウム硫黄電池セル１００の充放電サイクルを繰り返すと、正極端子が近い上部では下部に比べて容器の抵抗が少なく電流密度が高いため充電時に多くの硫黄が生成されて有効な通電面積が低下する。上部の通電面積が低下すると、中部及び下部での電流密度が増加して硫黄の生成速度が増加し、ナトリウム硫黄電池セル１００の有効な通電面積が段々と減少する。また、硫黄の密度は多硫化ナトリウムより軽いため、硫黄は上部に滞留し易い。よって、カーボンフェルト１０４内に生成される多硫化ナトリウムの硫黄濃度は、上部側が高くなる傾向がある。
【０００５】
また、一定電流に対してカーボンフェルト１０４の内側（固体電解質管１０２の外周面側）の通電面積は外側より小さいため、内側の電流密度が高くなり外側の電流密度は低くなる。よって、カーボンフェルト１０４内に生成される多硫化ナトリウムの硫黄濃度は、内側が高くなる傾向がある。以上のように、正極部内における硫黄濃度は、上部側が高くなるとともに内側が高くなる傾向があるため、容器１０１内全体の硫黄濃度は徐々に高くなり、内部抵抗が経時的に増大し、サイクル数の増加に伴い電力貯蓄の効率が低下する。
【０００６】
本発明は、上記した従来の問題が考慮されたものであり、多硫化ナトリウムが生成される正極部の内部抵抗の増加を防ぎ、電力貯蓄の効率を向上させることができるナトリウム硫黄電池セル、ナトリウム硫黄モジュール及びナトリウム硫黄電池を提供することを目的としている。
【課題を解決するための手段】
【０００７】
請求項１記載の発明は、筒形の容器と、該容器の中に緩挿されたナトリウムイオン伝導性を有する筒形の固体電解質管と、該固体電解質管の内部に収容されたナトリウムと、前記容器の内部に収容された硫黄と、前記ナトリウムに電気的に接続された負極端子と、前記硫黄に電気的に接続された正極端子とが備えられているナトリウム硫黄電池セルにおいて、前記負極端子は前記固体電解質管の上部に設けられ、前記正極端子は前記容器の底部に設けられ、前記正極端子には前記容器の側方に配置されて前記負極端子の高さまで上方に立ち上げられた接続部が接続されていることを特徴としている。
【０００８】
このような特徴により、正極端子が設けられた容器の底部には密度の高い多硫化ナトリウムが生成され、密度差により硫黄が上昇するため底部の硫黄は容器内で拡散され、底部には硫黄が蓄積されず、容器内の通電面積は減少しない。また、正極端子に接続された接続部が上方に立ち上げられているため、隣接するナトリウム硫黄電池セルは容器の上方で接続される。
【０００９】
請求項２記載の発明は、請求項１記載のナトリウム硫黄電池セルにおいて、前記固体電解質管の外周面に高抵抗層が形成されていることを特徴としている。
【００１０】
このような特徴により、充電時における容器の内周面と固体電解質管の外周面との間に形成される正極部の内側（固体電解質管の外周面側）の硫黄生成は抑制される。
【００１１】
請求項３記載の発明は、請求項１または２記載のナトリウム硫黄電池セルが複数並設され、隣接する一方の前記ナトリウム硫黄電池セルの前記負極端子と隣接する他方の前記ナトリウム硫黄電池セルの前記正極端子とが他方の前記ナトリウム硫黄電池セルの前記接続部を介して接続されていることを特徴としている。
【００１２】
このような特徴により、隣接する一方の前記ナトリウム硫黄電池セルと他方の前記ナトリウム硫黄電池セルとは直列に接続される。
【００１３】
請求項４記載の発明は、請求項３記載のナトリウム硫黄電池モジュールにおいて、前記ナトリウム硫黄電池セルは略円柱形に形成され、前記接続部は隣接する前記ナトリウム硫黄電池セルの近接部分の側方に形成される略三角柱状の隙間に配置されていることを特徴としている。
【００１４】
このような特徴により、接続部はナトリウム硫黄電池セルを隣接させたときに形成される隙間（デッドスペース）に配置されるため、接続部を配置するスペースを別個に確保する必要はなく、並設された複数のナトリウム硫黄電池セルの省スペース化が図られる。
【００１５】
請求項５記載の発明は、請求項３または４記載のナトリウム硫黄電池モジュールが備えられていることを特徴としている。
【００１６】
このような特徴により、請求項５記載のナトリウム硫黄電池は、請求項３または４記載のナトリウム硫黄電池モジュールと同様の作用がある。
【発明の効果】
【００１７】
本発明に係るナトリウム硫黄電池セル、ナトリウム硫黄モジュール及びナトリウム硫黄電池によれば、負極端子は固体電解質管の上部に設けられ、正極端子は容器の底部に設けられ、正極端子には容器の側方に配置されて負極端子の高さまで上方に立ち上げられた接続部が接続されているため、正極端子が設けられた容器の底部には密度の高い多硫化ナトリウムが生成され、密度差により硫黄が上昇するため底部の硫黄は容器内で拡散され、硫黄は底部に蓄積されず、容器内の通電面積は減少しない。これによって、多硫化ナトリウムが生成される正極部である容器内の内部抵抗の増加を防ぎ、電力貯蓄の効率を向上させることができる。また、正極端子に接続された接続部が上方に立ち上げられているため、隣接するナトリウム硫黄電池セルは上端部で接続される。これによって、並設された複数のナトリウム硫黄電池セルを容易に接続することができる。
【発明を実施するための最良の形態】
【００１８】
以下、本発明に係るナトリウム硫黄電池セル、ナトリウム硫黄モジュール及びナトリウム硫黄電池の実施の形態について、図面に基いて説明する。
【００１９】
図１はナトリウム硫黄電池１の斜視図である。図１に示すように、ナトリウム硫黄電池１は、密封された円筒形の耐火キュービクル２と、耐火キュービクル２内に複数段（図１では６段）積層されて収納されたナトリウム硫黄電池スタック３とから構成されている。耐火キュービクル２は、上端部が塞がれている円筒形の上部キュービクル４と下端部が塞がれている下部キュービクル５とから構成されている。上部キュービクル４は二重のステンレス鋼板により形成されており、二重のステンレス鋼板の間には真空断熱層が形成されている。また、上部キュービクル４の下端部には、上部キュービクル４の外周面に沿ってフランジ６が形成されている。
【００２０】
下部キュービクル５はステンレス鋼板により形成されており、下部キュービクル５内部の底面には図示せぬ耐火材が形成されている。また、下部キュービクル５の上端部には下部キュービクル５の外周面に沿ってフランジ７が形成されており、下端部にはハーメチックシールにより気密性が確保された電線取出し部８が形成されている。下部キュービクル５内には上部キュービクル４の下端が嵌挿され、上部キュービクル４のフランジ６と下部キュービクル５のフランジ７とは重ね合わされて複数の締付ボルト９で接合されている。また、締付ボルト９による接合で気密状態となる耐火キュービクル２の内部は減圧状態で窒素が充填されている。
【００２１】
図２はナトリウム硫黄電池スタック３の斜視図である。図１，図２に示すように、ナトリウム硫黄電池スタック３は、六角形のステンレス製のセル収納容器１０と、セル収納容器１０内に並設された複数のナトリウム硫黄電池セル１１と、複数のナトリウム硫黄電池セル１１の間に充填された乾燥砂１２とから構成されている。セル収納容器１０内部の中央には円柱形のステンレス製の芯材１３が立設されており、セル収納容器１０の内部には芯材１３から放射線状にそれぞれ延在する複数（図では３枚）のステンレス製の仕切り板１４が設けられ、セル収納容器１０の内部は複数の部屋１５に区画されている。
【００２２】
また、セル収納容器１０の六つのそれぞれの側面には、積層されるナトリウム硫黄電池スタック３を連結する連結具１６がそれぞれ付設されている。連結具１６は、セル収納容器１０側面の中央上端に設けられた被嵌合部１７と、セル収納容器１０側面の中央下端に設けられた嵌合部１８とから構成されている。被嵌合部１７の上端はセル収納容器１０の上方に突出されているとともに左右方向に貫通する孔１７ａが形成されており、嵌合部１８には左右方向に貫通する孔１８ａが形成されている。被嵌合部１７の上端部は二重に形成されており、嵌合部１８は二重の被嵌合部１７の上端部間に挟み込まれ、孔１７ａ，１８ａにボルト１９が挿通され、下段のナトリウム硫黄電池スタック３に付設された被嵌合部１７の上端部と上段のナトリウム硫黄電池スタック３に付設された嵌合部１８とは嵌合されている。
【００２３】
図３はナトリウム硫黄電池セル１１の斜視図である。図３に示すように、ナトリウム硫黄電池セル１１には、有底円筒形の容器２０と、ナトリウムイオン伝導性を有するβ−アルミナ製の有底円筒形の固体電解質管２１と、液状のナトリウム２２と、カーボンフェルト２３に含浸された液状の硫黄２４と、ナトリウム２２に電気的に接続された板状の負極端子２５と、硫黄２４に電気的に接続された板状の正極端子２６とが備えられている。
【００２４】
容器２０は下端部が塞がれて上端部が開口されており、容器２０の中には固体電解質管２１が容器２０の内周面との間に隙間をあけて緩挿されている。固体電解質管２１の外周面には例えばガラス繊維からなる高抵抗層２７が形成されており、硫黄２４が含浸されたカーボンフェルト２３は高抵抗層２７と容器２０の内周面との間に充填され、硫黄２３は容器２０の内部に収容されている。
【００２５】
固体電解質管２１の中には、底部に図示せぬ小孔の空いた有底円筒形の安全管２８が挿装されており、安全管２８の中にはナトリウム２２が貯留され、ナトリウム２２は安全管２８底部に形成された小孔を通って固体電解質管２１と安全管２８との間に収容されている。固体電解質管２１の上端部には固体電解質管２１の外周面に沿ってα−アルミナ製の絶縁リング３０が形成されている。絶縁リング３０の内周面は固体電解質管２１の外周面にガラス接合されており、絶縁リング３０の下端部は容器２０の上端部に熱圧接合されている。固体電解質管２１の上端面の上には円盤状の蓋部材３１が載置されている。蓋部材３１の外周部下面は絶縁リング３０の上端面に熱圧接合されており、容器２０及び固体電解質管２１の内部はそれぞれ絶縁リング３０により密閉されている。
【００２６】
蓋部材３１の上面には負極端子２５が付設されている。負極端子２５は、鉛直に立設されており、負極端子２５は蓋部材３１の上面からナトリウム硫黄電池セル１１の側方に張り出されている。一方、容器２０の底部には正極端子２６が付設されている。正極端子２６は、水平に配置されており、容器２０の底部からナトリウム硫黄電池セル１１の側方に張り出されている。負極端子２５と正極端子２６とは左右対称の向きでハ字状に配置されている。
【００２７】
正極端子２６の先端には、容器２０の側方に配置されて負極端子の高さまで上方に立ち上げられた接続部３２が接続されている。接続部３２は、正極端子２６の先端に立設されたロッド３３と、ロッド３３の上端に張設されている接触板３４とから構成されており、接触板３４は負極端子２５と平行に配置されている。
【００２８】
図４は複数のナトリウム硫黄電池セル１１からなるナトリウム硫黄電池モジュールを表す斜視図である。図２，図４に示すように、セル収納容器１０内には、複数のナトリウム硫黄電池セル１１が直列方向Ｘ及び並列方向Ｙにそれぞれ並設されている。隣接するナトリウム硫黄電池セル１１は近接されており、隣接するナトリウム硫黄電池セル１１の近接部分の側方には略三角柱状の隙間が形成されている。この略三角柱状の隙間には、正極端子２６の先端から立ち上げられたロッド３３が配置されているとともに、乾燥砂１２がナトリウム硫黄電池セル１１の上端面付近まで充填されている。
【００２９】
直列方向Ｘに並設されて隣接する一方のナトリウム硫黄電池セル１１の負極端子２５は隣接する他方のナトリウム硫黄電池セル１１に設けられた接続部３２の接触板３４に重ね合わされて溶接されており、隣接する一方のナトリウム硫黄電池セル１１の負極端子２５と隣接する他方のナトリウム硫黄電池セル１１の正極端子とは、他方のナトリウム硫黄電池セル１１の接続部３２を介して直列に接続されている。また、直列に接続されて形成されているナトリウム硫黄電池セル１１の列は、並列方向Ｙに複数並べられており、複数のナトリウム硫黄電池セル１１の列は、セル収納容器１０の内部に形成された部屋１５内部の端部に配置された接続バー３５によって並列に接続されている。
【００３０】
次に、上記した構成からなるナトリウム硫黄電池セル１１の放電時及び充電時における作用について説明する。
【００３１】
まず、放電時について説明する。放電時には、固体電解質管２１と安全管２８との間に収容されているナトリウム２２は、［化１］に示すように、電子（ｅ-）を放出してナトリウムイオン（Ｎａ+）となり、このナトリウムイオン（Ｎａ+）は、ナトリウムイオン伝導性を有する固体電解質管２１及び高抵抗層２７を通過して容器２０内に至る。［化２］に示すように、容器２０内のカーボンフェルト２３内に含浸された硫黄２４は、容器２０内に到達したナトリウムイオン（Ｎａ+）と、正極端子２６から容器２０内に到達する電子（ｅ-）とを受け取って多硫化ナトリウム（Ｎａ２Ｓｘ）になる。固体電解質管２１と安全管２８との間には、安全管２８内のナトリウム２２が安全管２８底部に形成された小孔を通って充填される。
【００３２】
【化１】
2006114294.tif 000003
【００３３】
【化２】
2006114294.tif 000004
【００３４】
次に、充電時について説明する。充電時には、［化３］に示すように、容器２０内に生成された多硫化ナトリウム（Ｎａ２Ｓｘ）は、ナトリウムイオン（Ｎａ+），硫黄２４及び電子（ｅ-）に分かれ、ナトリウムイオン（Ｎａ+）は、ナトリウムイオン伝導性を有する高抵抗層２７、固体電解質管２１を通過して固体電解質管２１と安全管２８との間に至る。［化４］に示すように、ナトリウムイオン（Ｎａ+）は、安全管２８の外面で電子（ｅ-）を受け取ってナトリウム２２になり、安全管２８底部に形成された小孔を通って安全管２８内に至る。
【００３５】
【化３】
2006114294.tif 000005
【００３６】
【化４】
2006114294.tif 000006
【００３７】
上記した構成からなるナトリウム硫黄電池セル、ナトリウム硫黄モジュール及びナトリウム硫黄電池によれば、負極端子２５は蓋部材３１を介して固体電解質管２１の上部に設けられ、正極端子２６は容器２０の底部に設けられ、正極端子２６には容器２０の側方に配置されて負極端子の高さまで上方に立ち上げられた接続部３２が接続されているため、正極端子２６が設けられた容器２０の底部には密度の高い多硫化ナトリウム（Ｎａ２Ｓｘ）が生成され、密度差により硫黄２４が上昇するため底部の硫黄２４は容器２０内で拡散され、硫黄２４は底部に蓄積されず、容器２０内の通電面積は減少しない。これによって、多硫化ナトリウム（Ｎａ２Ｓｘ）が生成される正極部である容器２０内の内部抵抗の増加を防ぎ、電力貯蓄の効率を向上させることができる。また、正極端子２６に接続された接続部３２が負極端子の高さまで上方に立ち上げられているため、隣接するナトリウム硫黄電池セル１１は上方から接続される。これによって、並設された複数のナトリウム硫黄電池セル１１を容易に接続することができる。
【００３８】
また、固体電解質管２１の外周面に高抵抗層２７が形成されているため、充電時における正極部であるカーボンフェルト２３の内側（固体電解質管２１の外周面側）の硫黄２４生成が抑制される。これによって、正極部であるカーボンフェルト２３の内側部の硫黄濃度は低減され、内部抵抗の増加を防ぐことができる。
【００３９】
また、ナトリウム硫黄電池セル１１は複数並設され、隣接する一方のナトリウム硫黄電池セル１１の負極端子２５と隣接する他方のナトリウム硫黄電池セル１１の正極端子２６とが他方のナトリウム硫黄電池セル１１の接続部３２を介して接続されているため、隣接する一方のナトリウム硫黄電池セル１１と他方のナトリウム硫黄電池セル１１とは直列に接続される。これによって、複数のナトリウム硫黄電池セル１１を接続することで多量の電力を貯蔵することができる。
【００４０】
また、ナトリウム硫黄電池セル１１は略円柱形に形成され、接続部３２は隣接するナトリウム硫黄電池セル１１の近接部分の側方に形成される略三角柱状のデッドスペースに配置されているため、接続部３２を配置するスペースを別個に確保する必要はなく、並設された複数のナトリウム硫黄電池セル１１の省スペース化が図られる。これによって、複数のナトリウム硫黄電池セル１１が並設されてなるナトリウム硫黄電池モジュールの小型化を図るとともに、小型化されたナトリウム硫黄電池モジュールを備えるナトリウム硫黄電池の小型化を図ることができる。
【００４１】
また、負極端子２５と正極端子２６とは、左右対称の向きでハ字状に配置されているため、隣接する一方のナトリウム硫黄電池セル１１の正極端子２６と他方のナトリウム硫黄電池セル１１の負極端子２５とは上下で対向され、負極端子２５と正極端子２６とは接続部３２を介して無理なく接続される。これによって、複数のナトリウム硫黄電池セル１１を直列に接続する作業を簡易化することができる。
【００４２】
以上、本発明に係るナトリウム硫黄電池セル、ナトリウム硫黄モジュール及びナトリウム硫黄電池の実施の形態について説明したが、本発明は上記した実施の形態に限定されるものではなく、その趣旨を逸脱しない範囲で適宜変更可能である。例えば、上記した実施の形態では、万一の固体電解質管２１の損傷した場合にナトリウム２２と硫黄２４との直接化学反応を抑止するため、固体電解質管２１の中には安全管２８が挿装されているが、本発明は、固体電解質管２１の中に挿装された安全管２８の中に更に小径の安全管を緩挿させ、固体電解質管２１の中に挿装された安全管２８と小径の安全管との間にナトリウム２２を収容させてもよい。このように、固体電解質管２１の内部を安全管によって復層構造に形成することで、万一、固体電解質管２１や安全管２８が損傷した場合に、ナトリウム２２と硫黄２４との直接化学反応を制限することができる。
【００４３】
また、上記した実施の形態では、ナトリウム硫黄電池１には、複数のナトリウム硫黄電池セル１１が収納されたナトリウム硫黄電池スタック３が複数段に積層されて構成されているが、本発明は、複数のナトリウム硫黄電池セル１１が収納された複数のナトリウム硫黄電池集合体が平面的に配設されて構成されたナトリウム硫黄電池でもよく、或いは複数のナトリウム硫黄電池セル１１が収納されたナトリウム硫黄電池集合体が一体のみ備えられたナトリウム硫黄電池でもよい。これによって、ナトリウム硫黄電池の薄型化や小型化を図ることができる。
【図面の簡単な説明】
【００４４】
【図１】本発明に係るナトリウム硫黄電池の実施の形態を表す斜視図である。
【図２】本発明に係るナトリウム硫黄電池モジュールの実施の形態を表す斜視図である。
【図３】本発明に係るナトリウム硫黄電池セルの実施の形態を表す斜視図である。
【図４】本発明に係るナトリウム硫黄電池モジュールの実施の形態を表す斜視図である。
【図５】従来のナトリウム硫黄電池セルを表す断面図である。
【符号の説明】
【００４５】
１  ナトリウム硫黄電池
１１  ナトリウム硫黄電池セル
２０  容器
２１  固体電解質管
２２  ナトリウム
２４  硫黄
２５  負極端子
２６  正極端子
２７  高抵抗層
３２  接続部
【図１】
2006114294.tif 000007
【図２】
2006114294.tif 000008
【図３】
2006114294.tif 000009
【図４】
2006114294.tif 000010
【図５】
2006114294.tif 000011